(57)【要約】本発明は、ワイヤレスシステムが複数のデータパケットを少なくとも１つのワイヤレスターミナルにブロードキャストするための方法及び装置を提供する。ワイヤレスシステムは、サービスソースから複数のデータパケットを受信するためにバックボーンネットワークにインターフェイスする複数のベースステーションを備えている。データパケットは、第１チャンネルバーストを送信する第１ベースステーションと、第２チャンネルバーストを送信する第２ベースステーションとにより、ワイヤレスターミナルへ送信され、これらチャンネルバーストの対応するタイムオフセットは、位相シフト量で特徴付けられるように、異なる。従って、ワイヤレスターミナルが第１ベースステーションから第２ベースステーションへのハンドオーバーを実行するときには、実際的なネットワーク事柄の結果として幾つかのデータパケットが失われる確率が減少される。
2005538594.tif 000002
【特許請求の範囲】
【請求項１】
第１ベースステーション及び第２ベースステーションを備えたワイヤレスシステムからワイヤレスターミナルにより複数のデータパケットを受信する方法において、
（ａ）第１グループのデータパケットを含む現在第１チャンネルバーストに関連付けられた第１の位相シフト量を決定するステップであって、前記第１の位相シフト量は、前記第１ベースステーションに関連付けられ、且つ前記第１の位相シフト量は、前記第２ベースステーションに関連付けられた第２の位相シフトとは異なるようにされるステップと、
（ｂ）前記第１の位相シフト量に基づいて前記現在第１チャンネルバーストを受信するステップと、
を備えた方法。
【請求項２】
前記第１グループのパケットは、第１データサービスに関連付けられる請求項１に記載の方法。
【請求項３】
前記ワイヤレスシステムは、デジタルブロードバンドブロードキャストエリアにサービスし、そして前記第１データサービスは、デジタルブロードバンドブロードキャストサービスに関連付けられる請求項２に記載の方法。
【請求項４】
前記第１グループのパケットは、第２データサービスに関連付けられる請求項２に記載の方法。
【請求項５】
（ｃ）前記現在第１チャンネルバーストと、その後続第１チャンネルバーストとの間の時間差である時間周期を決定するステップと、
（ｄ）前記現在第１チャンネルバーストに対する時間周期だけオフセットした時間に前記後続第１チャンネルバーストを受信するステップと、
を更に備えた請求項１に記載の方法。
【請求項６】
前記ステップ（ｃ）は、前記現在第１チャンネルバーストにおける時間周期に関する情報を受信する段階を備えた請求項５に記載の方法。
【請求項７】
（ｃ）前記第２ベースステーションに関連した第２の位相シフト量を決定するステップと、
（ｄ）前記第１ベースステーションにより送信された第１信号の第１信号特性を測定するステップと、
（ｅ）前記第２ベースステーションにより送信された第２信号の第２信号特性を測定するステップと、
（ｆ）前記第１信号特性が第１の予め定められた基準を満足し且つ前記第２信号特性が第２の予め定められた基準を満足する場合には、前記第１ベースステーションから前記第２ベースステーションへ受信を切り換えるステップと、
（ｇ）前記ステップ（ｆ）に応答して、前記第２の位相シフト量に基づいて前記第２ベースステーションから第２チャンネルバーストを受信するステップであって、前記第２チャンネルバーストが第２グループのデータパケットを含むようなステップと、
を更に備えた請求項１に記載の方法。
【請求項８】
（ｈ）前記第２グループのデータパケットのナンバリングが連続的でない場合には、ナンバリングが連続的となるように前記第２データパケットグループのデータパケットを再配置するステップと、
（ｉ）前記第２グループのデータパケット内に二重のデータパケットが受信された場合には、その二重のデータパケットの一方を破棄するステップと、
を更に備えた請求項７に記載の方法。
【請求項９】
前記第１信号特性及び第２信号特性は、受信信号強度指示子（ＲＳＳＩ）値、ビットエラー率（ＢＥＲ）及びパケットエラー率（ＰＥＲ）より成るグループから選択された信号属性に対応する請求項７に記載の方法。
【請求項１０】
前記ステップ（ｃ）は、初期セルにおける第２の位相ソフト量に関する情報を受信する段階を含む請求項７に記載の方法。
【請求項１１】
（ｃ）前記第２ベースステーションに関連した第２の位相シフト量を決定するステップと、
（ｄ）前記第１ベースステーションにより送信された第１信号の第１信号特性を測定するステップと、
（ｅ）前記第２ベースステーションにより送信された第２信号の第２信号特性を測定するステップと、
（ｆ）前記第１信号特性及び第２信号特性を前記第１ベースステーションへ送信するステップと、
（ｇ）前記第１ベースステーションにより命令された場合に、前記第１ベースステーションから前記第２ベースステーションへ受信を切り換えるステップと、
（ｈ）前記ステップ（ｇ）に応答して、前記第２の位相シフト量に基づいて前記第２ベースステーションから第２チャンネルバーストを受信するステップであって、前記第２チャンネルバーストが第２グループのデータパケットを含むようなステップと、
を更に備えた請求項１に記載の方法。
【請求項１２】
（ｉ）前記第２グループのデータパケットのナンバリングが連続的でない場合には、ナンバリングが連続的となるように前記第２データパケットグループのデータパケットを再配置するステップと、
（ｊ）前記第２グループのデータパケット内に二重のデータパケットが受信された場合には、その二重のデータパケットの一方を破棄するステップと、
を更に備えた請求項１１に記載の方法。
【請求項１３】
（ｃ）第３グループのデータパケットを含む第３チャンネルバーストに関連した第３の位相シフト量を決定するステップであって、前記第３の位相シフト量が前記第１ベースステーションに関連付けられるようなステップと、
（ｄ）前記第３の位相シフト量に基づいて前記第３チャンネルバーストを受信するステップと、
を更に備えた請求項１に記載の方法。
【請求項１４】
前記第１ベースステーションは、第１中心周波数値に関連付けられ、そして前記第２ベースステーションは、第２中心周波数値に関連付けられる請求項１に記載の方法。
【請求項１５】
前記第１ベースステーションは、第１チャンネル化コードに関連付けられ、そして前記第２ベースステーションは、第２チャンネル化コードに関連付けられる請求項１に記載の方法。
【請求項１６】
前記第１データサービスは、インターネットプロトコル（ＩＰ）サービスである請求項２に記載の方法。
【請求項１７】
請求項１に記載のステップを実行するためのコンピュータ実行可能な命令を有するコンピュータ読み取り可能な媒体。
【請求項１８】
請求項７に記載のステップを実行するためのコンピュータ実行可能な命令を有するコンピュータ読み取り可能な媒体。
【請求項１９】
請求項８に記載のステップを実行するためのコンピュータ実行可能な命令を有するコンピュータ読み取り可能な媒体。
【請求項２０】
第１ベースステーション及び第２ベースステーションを備えたワイヤレスシステムから複数のデータパケットを受信するワイヤレスターミナルにおいて、
記憶バッファと、
タイミングモジュールと、
無線チャンネルを経て前記ワイやレスシステムと通信する無線モジュールと、
現在第１チャンネルバーストが送信されているという前記タイミングモジュールからの指示を受信するプロセッサであって、前記現在第１チャンネルバーストは第１グループのデータパケットを含むものであり、更に、前記第１グループのデータパケットを前記記憶バッファに記憶するプロセッサと、
を備え、前記プロセッサは、
（ａ）前記第１グループのデータパケットを含む前記現在第１チャンネルバーストに関連付けられた第１の位相シフト量を決定するステップであって、前記第１の位相シフト量は、前記第１ベースステーションに関連付けられ、且つ前記第１の位相シフト量は、前記第２ベースステーションに関連付けられた第２の位相シフトとは異なるようにされ、
（ｂ）前記第１の位相シフト量に基づいて前記現在第１チャンネルバーストを受信する、
というステップを実行するように構成されたワイヤレスターミナル。
【請求項２１】
前記ワイヤレスシステムは、デジタルブロードバンドブロードキャストエリアにサービスし、そして前記第１グループのデータパケットは、デジタルブロードバンドブロードキャストサービスに関連付けられる請求項２０に記載のワイヤレスターミナル。
【請求項２２】
前記プロセッサは、更に、
（ｃ）前記現在第１チャンネルバーストと、その後続第１チャンネルバーストとの間の時間差である時間周期を決定し、そして
（ｄ）前記現在第１チャンネルバーストに対する時間周期だけオフセットした時間に前記後続第１チャンネルバーストを受信する、
という更に別のステップを実行するように構成される請求項２０に記載のワイヤレスターミナル。
【請求項２３】
前記プロセッサは、更に、
（ｃ）前記第２ベースステーションに関連した第２の位相シフト量を決定し、
（ｄ）前記第１ベースステーションにより送信された第１信号の第１信号特性を測定し、
（ｅ）前記第２ベースステーションにより送信された第２信号の第２信号特性を測定し、
（ｆ）前記第１信号特性が第１の予め定められた基準を満足し且つ前記第２信号特性が第２の予め定められた基準を満足する場合には、前記第１ベースステーションから前記第２ベースステーションへ受信を切り換え、そして
（ｇ）前記ステップ（ｆ）に応答して、前記第２の位相シフト量に基づいて前記第２ベースステーションから第２チャンネルバーストを受信し、前記第２チャンネルバーストが第２グループのデータパケットを含むようにする、
というステップを実行するように構成された請求項２０に記載のワイヤレスターミナル。
【請求項２４】
前記プロセッサは、更に、
（ｈ）前記第２グループのデータパケットのナンバリングが連続的でない場合には、ナンバリングが連続的となるように前記第２データパケットグループのデータパケットを再配置し、そして
（ｉ）前記第２グループのデータパケット内に二重のデータパケットが受信された場合には、その二重のデータパケットの一方を破棄する、
という更に別のステップを実行するように構成された請求項２３に記載のワイヤレスターミナル。
【請求項２５】
前記プロセッサは、更に、
（ｃ）前記第２ベースステーションに関連した第２の位相シフト量を決定し、
（ｄ）前記第１ベースステーションにより送信された第１信号の第１信号特性を測定し、
（ｅ）前記第２ベースステーションにより送信された第２信号の第２信号特性を測定し、
（ｆ）前記第１信号特性及び第２信号特性を前記第１ベースステーションへ送信し、
（ｇ）前記第１ベースステーションにより命令された場合に、前記第１ベースステーションから前記第２ベースステーションへ受信を切り換え、そして
（ｈ）前記ステップ（ｇ）に応答して、前記第２の位相シフト量に基づいて前記第２ベースステーションから第２チャンネルバーストを受信し、前記第２チャンネルバーストが第２グループのデータパケットを含むようにする、
という更に別のステップを実行するように構成された請求項２０に記載のワイヤレスターミナル。
【請求項２６】
前記プロセッサは、更に、
（ｃ）第３グループのデータパケットを含む第３チャンネルバーストに関連した第３の位相シフト量を決定し、前記第３の位相シフト量が前記第１ベースステーションに関連付けられるようにし、そして
（ｄ）前記第３の位相シフト量に基づいて前記第３チャンネルバーストを受信する、
という更に別のステップを実行するように構成された請求項２０に記載のワイヤレスターミナル。
【請求項２７】
第１ベースステーション及び第２ベースステーションを備えたワイヤレスシステムによりワイヤレスターミナルへ複数のデータパケットをブロードキャストするための方法において、
（ａ）第１グループのデータパケットを現在第１チャンネルバーストへマップするステップと、
（ｂ）前記現在第１チャンネルバーストに対応する第１の位相シフト量を決定するステップであって、前記第１の位相シフト量が、前記第２ベースステーションに関連した第２の位相シフトとは異なるようにするステップと、
（ｃ）前記第１の位相シフト量に対応する前記現在第１チャンネルバーストを送信するステップと、
を備えた方法。
【請求項２８】
前記ワイヤレスシステムは、デジタルブロードバンドブロードキャストエリアにサービスし、そして前記第１グループのデータパケットは、デジタルブロードバンドブロードキャストサービスに関連付けられる請求項２７に記載の方法。
【請求項２９】
前記第１グループのデータパケットは、第１データサービスに関連付けられる請求項２７に記載の方法。
【請求項３０】
前記第１グループのデータパケットは、第２データサービスに関連付けられる請求項２９に記載の方法。
【請求項３１】
（ｄ）前記現在第１チャンネルバーストと、その後続第１チャンネルバーストとの間の時間差である時間周期を決定するステップと、
（ｅ）前記現在第１チャンネルバーストに対する時間周期において前記後続第１チャンネルバーストを送信するステップと、
を更に備えた請求項２７に記載の方法。
【請求項３２】
（ｆ）前記現在第１チャンネルバーストに前記時間周期に関する情報を含ませるステップを更に備えた請求項３１に記載の方法。
【請求項３３】
（ｄ）前記現在第１チャンネルバーストに前記第２の位相シフト量に関する情報を含ませるステップであって、前記第２の位相シフト量を、前記第２ベースステーションにより送信される第２グループのデータパケットに対応させるステップを更に備えた請求項２７に記載の方法。
【請求項３４】
（ｄ）前記第１ベースステーションにより送信される第１信号を表わす第１信号特性であって、前記ワイヤレスターミナルにより測定される第１信号特性と、前記第２ベースステーションにより送信される第２信号を表わす第２信号特性であって、前記ワイヤレスターミナルにより測定される第２信号特性とを前記第１ベースステーションにより受信するステップと、
（ｅ）前記第１及び第２の信号特性に基づいて前記第２ベースステーションにより前記ワイヤレスターミナルにサービスすべきかどうか決定するステップと、
（ｆ）前記ステップ（ｅ）に応答してベースステーションを切り換えるべき命令を前記ワイヤレスターミナルに送信するステップと、
を更に備えた請求項２７に記載の方法。
【請求項３５】
前記第１ベースステーションは、第１中心周波数値に関連付けられ、そして前記第２ベースステーションは、第２中心周波数値に関連付けられる請求項２７に記載の方法。
【請求項３６】
前記ワイヤレスシステムにおける中心周波数値の数はＮに等しく、そして位相シフトの量は、３６０度をＮで除算し整数を乗算したものに等しい請求項３５に記載の方法。
【請求項３７】
前記第１ベースステーションは、第１チャンネル化コードに関連付けられ、そして前記第２ベースステーションは、第２チャンネル化コードに関連付けられる請求項２７に記載の方法。
【請求項３８】
（ｄ）第３グループのデータパケットを、前記第１ベースステーションに関連付けられた第３チャンネルバーストへマップするステップと、
（ｅ）前記第３チャンネルバーストに対応する第３の位相シフト量を決定するステップと、
（ｆ）前記第３の位相シフト量に対応する第３チャンネルバーストを送信するステップと、
を更に備えた請求項２７に記載の方法。
【請求項３９】
前記第１グループのデータパケットは、第１データサービスに関連付けられ、そして前記第１データサービスは、インターネットプロトコル（ＩＰ）サービスである請求項２７に記載の方法。
【請求項４０】
請求項２７に記載のステップを実行するためのコンピュータ実行可能な命令を有するコンピュータ読み取り可能な媒体。
【請求項４１】
請求項３３に記載のステップを実行するためのコンピュータ実行可能な命令を有するコンピュータ読み取り可能な媒体。
【請求項４２】
第１グループのデータパケットをワイヤレスターミナルへブロードキャストするベースステーションにおいて、
タイミングモジュールと、
記憶バッファと、
バックボーンネットワークから第１グループのデータパケットを受信するネットワークインターフェイスモジュールであって、前記第１グループのデータパケットがデジタルブロードバンドブロードキャストサービスに関連付けられるネットワークインターフェイスモジュールと、
無線チャンネルを経て前記ワイヤレスターミナルと通信する無線モジュールと、
前記第１グループのパケットを前記記憶バッファに記憶し、現在第１チャンネルバーストを送信すべきであるという前記タイミングモジュールからの指示を受信し、そして前記記憶バッファから前記第１グループのデータパケットを検索するプロセッサと、
を備え、前記プロセッサは、
（ａ）前記第１グループのデータパケットを前記現在第１チャンネルバーストへマップし、前記第１グループのデータパケットは、第１データサービスに関連付けられ、
（ｂ）前記現在第１チャンネルバーストに対応する第１の位相シフト量を決定し、そして
（ｃ）前記第１の位相シフト量に対応する前記現在第１チャンネルバーストを、前記無線モジュールを経て送信する、
というステップを実行するように構成されたベースステーション。
【請求項４３】
前記プロセッサは、
（ｄ）第２の位相シフト量に関する情報を前記現在第１チャンネルバーストに含ませ、前記第２の位相シフト量を第２のベースステーション及び第１データサービスに関連付ける更に別のステップを実行するように構成される請求項４２に記載のベースステーション。
【請求項４４】
第１ベースステーション及び第２ベースステーションを備えたワイヤレスシステムからワイヤレスターミナルにより複数のデータパケットを受信する方法において、
（ａ）第１グループのデータパケットを含む第１チャンネルバーストに関連付けられた第１の位相シフト量を決定するステップであって、前記第１グループのデータパケットは、デジタルブロードバンドブロードキャストサービスに関連付けられ、且つ前記第１の位相シフト量は、前記第１ベースステーション及び第１データサービスに関連付けられるステップと、
（ｂ）前記第１の位相シフト量に基づいて前記現在第１チャンネルバーストを受信するステップと、
（ｃ）前記第２ベースステーション及び前記デジタルブロードバンドブロードキャストサービスに関連した第２の位相シフト量を決定するステップと、
（ｄ）前記第１ベースステーションにより送信された第１信号の第１信号特性を測定するステップと、
（ｅ）前記第２ベースステーションにより送信された第２信号の第２信号特性を測定するステップと、
（ｆ）前記第１信号特性が第１の予め定められた基準を満足し且つ前記第２信号特性が第２の予め定められた基準を満足する場合には、前記第１ベースステーションから前記第２ベースステーションへ受信を切り換えるステップと、
（ｇ）前記ステップ（ｆ）に応答して、前記第２の位相シフト量に基づいて前記第２ベースステーションから第２チャンネルバーストを受信するステップであって、前記第２チャンネルバーストが、前記デジタルブロードバンドブロードキャストサービスに関連付けられた第２グループのデータパケットを含むようなステップと、
（ｈ）前記データパケットのナンバリングが連続的でない場合には、ナンバリングが連続的となるように前記第２データパケットグループのデータパケットを再配置するステップと、
（ｉ）前記第２グループのデータパケット内に二重のデータパケットが受信された場合には、その二重のデータパケットの一方を破棄するステップと、
を備えた方法。
【発明の詳細な説明】
【技術分野】
【０００１】
本発明は、オーディオデータ、ビデオデータ、制御データ又は他の情報のバースト送信に係り、より詳細には、ワイヤレスターミナルにおける中断のないハンドオーバーを与える装置及び方法に係る。
【背景技術】
【０００２】
ビデオストリーミング、データストリーミング及びブロードバンドデジタルブロードキャストプログラミングは、例えば、インターネットプロトコル（ＩＰ）マルチキャストサービスのようなワイヤレスネットワークアプリケーションにおいて益々普及しつつある。これらのワイヤレスアプリケーションをサポートするために、ワイヤレスブロードキャストシステムは、データサービスをサポートするデータコンテンツを多数のワイヤレスターミナルに同時に送信する。ワイヤレスブロードキャストシステムは、通常、複数のベースステーションを備え、データコンテンツは、サービスソースによりバックボーンネットワークを経て配布される。ワイヤレスブロードキャストシステムは、通常、単一方向性のネットワークで、アップリンクチャンネル（即ち、ワイヤレスターミナルからサービングベースステーションへ）を使用することはできない。従って、ワイヤレスターミナルは、ワイヤレスブロードキャストシステムからのデータサービスに関連した失われたデータパケットを要求することができない。ワイヤレスブロードキャストシステムが、異なる送信カバレージエリア（セルとしても知られている）にサービスする２つ以上のベースステーションを有するときには、ベースステーションは、ワイヤレスターミナルがあるベースステーションのカバレージエリアから別のベースステーションの別のカバレージエリアへ移動するときにワイヤレスターミナルがシームレスの形態で関連データパケットを受信できるように、データサービスを送信しなければならない。シームレスとは、ワイヤレスターミナルが１つのベースステーションから別のベースステーションへハンドオーバーを実行するときにワイヤレスターミナルが全てのデータパケットを受信することを意味する。しかしながら、バックボーンネットワークにより配布されるデータパケットは、バックボーンネットワーク内の可変時間遅延のために、ワイヤレスブロードキャストシステムの全てのベースステーションに同時にそして同じ順序で到達しないことがある。通常、ベースステーションは、ユーザデータグラムプロトコル（ＵＤＰ）を使用するマルチキャストブロードキャストサービスと同様に、データパケットのナンバリングをオーダーしない。更に、サービングベースステーションとワイヤレスターミナルとの間の無線経路は、信号のフェージングを経験して、ワイヤレスターミナルに不完全な受信を招くことがある。従って、ワイヤレスターミナルがセル間を移動するときには、特にハンドオーバーが生じるときに情報信号が失われ又は壊れることがある。
【発明の開示】
【発明が解決しようとする課題】
【０００３】
従って、多数のワイヤレスベースステーションからデータ及び情報を受信するワイヤレスターミナルへ中断なく情報及びデータ流を供給するためのシステム及び方法が要望される。
【課題を解決するための手段】
【０００４】
本発明の態様は、ワイヤレスシステムが複数のデータパケットを少なくとも１つのワイヤレスターミナルへブロードキャストするための方法及び装置を提供する。ワイヤレスシステムは、サービスソースから複数のデータパケットを受信するためにバックボーンネットワークにインターフェイスする複数のベースステーションを備えている。複数のパケットは、データサービスに関連したデータパケットのグループを含む。データパケットは、第１チャンネルバーストを送信する第１ベースステーションと、第２チャンネルバーストを送信する第２ベースステーションとにより、ワイヤレスターミナルへ送信され、これらチャンネルバーストの対応するタイムオフセットは、異なる位相シフト量で特徴付けられる。従って、ワイヤレスターミナルが第１ベースステーションから第２ベースステーションへのハンドオーバーを実行するときには、実際的なネットワーク事柄の結果として幾つかのデータパケットが失われる確率が減少される。各ベースステーションは、ワイヤレスシステムのコンフィギュレーションに依存する位相シフトの量に関連付けられる。
【０００５】
本発明の実施形態では、ワイヤレスターミナルは、第１ベースステーションからのチャンネルバーストにおいて隣接セルに関する周波数及び位相シフトパラメータ情報を受信する。ワイヤレスターミナルは、隣接セルの対応ベースステーションからの無線チャンネルを監視し、そしてハンドオーバーが要求されるかどうか決定する。もしそうであれば、ワイヤレスターミナルは、ハンドオーバーを遂行し、そして第２ベースステーションに関連した位相シフトの量に基づいて第２ベースステーションからのチャンネルバーストを受信する。
【発明を実施するための最良の形態】
【０００６】
本発明及びその効果を完全に理解するために、同じ特徴部が同じ参照番号で示された添付図面を参照して以下に詳細に説明する。
種々の実施形態の以下の説明では、本発明を実施する種々の実施形態が一例として示された添付図面を参照する。本発明の範囲から逸脱せずに他の実施形態も使用できると共に構造的及び機能的変更もなし得ることを理解されたい。
【０００７】
図１は、本発明の一実施形態によりワイヤレスターミナル１１５へデータサービスを提供するためにサービスソース１０１をベースステーション１０３及び１０５に相互接続するマルチキャストバックボーン型ブロードキャストネットワーク１０７を示す。データサービスに対応するデータパケットは、ベースステーション１０３及び１０５により、各々、アンテナ１１０及び１１２を経、無線チャンネル１１１及び１１３を経てワイヤレスターミナル１１５へ送信される。たとえワイヤレスターミナル１１５が無線チャンネルの一方（いずれかのチャンネル１１１又は１１３）しか処理しなくても、両ベースステーション１０３及び１０５が同じデータパケットをブロードキャストし、図８から１２について述べるように、送信は互いにオフセットされてもよい。
【０００８】
図２は、本発明の一実施形態によりタイムスライス送信を使用するインターネットプロトコル（ＩＰ）サービスの送信を示す。ベースステーション（例えば、ベースステーション１０３）は、データストリーム２０１、２０３、２０５及び２０７を使用して複数のＩＰサービスに対するデータパケットをブロードキャストする。（各データストリームには、データレート容量の一部分が割り当てられる。）この実施形態では、ベースステーション１０３は、ベーストランシーバステーション（ＢＴＳ）、ベースステーションコントローラ（ＢＳＣ）、ＢＴＳとＢＳＣの組合せ、及びベーストランシーバステーションの第三世代（３Ｇ）呼称であるノードＢにより通常行われる機能をサポートすることができる。データ送信は、ＩＰサービスのデータパケットがデータストリームにより連続的に搬送されるように本質的に連続的である。
【０００９】
データパケットのロスを軽減するために、データストリーム２０１、２０３、２０５及び２０７は、ベースステーション１０３及び１０５によりチャンネルバースト２０９、２１１、２１３及び２１５へ各々マップされ、これらチャンネルバーストが、データストリーム２０１、２０３、２０５及び２０７に代わって、無線チャンネル１１１及び１１３を経て送信される。各データストリーム（２０１、２０３、２０５及び２０７）、ひいては、各チャンネルバースト（２０９、２１１、２１３及び２１５）は、少なくとも１つのデータサービスをサポートする。従って、各チャンネルバーストは、複数のデータサービス（例えば、関連データサービスのグループ）をサポートすることができる。
【００１０】
チャンネルバースト２０９、２１１、２１３及び２１５に関連したデータレートは、通常、データストリーム２０１、２０３、２０５及び２０７に関連したデータレートより大きく、従って、対応する数のデータパケットを、より短い時間内に送信することができる。この実施形態では、データストリーム２０１、２０３、２０５及び２０７は、約１００Ｋビット／秒の連続的データレートに対応する。チャンネルバースト２０９、２１１、２１３及び２１５は、約１秒巾で約４Ｍビット／秒に対応する。しかしながら、他の実施形態では、データストリーム２０１−２０７及びチャンネルバースト２０９−２１５に対して異なるデータレートを使用してもよい。
【００１１】
ワイヤレスターミナル１１５は、データパケットが送信されている間に別のベースステーション（例えば、ベースステーション１０５）への移行が要求されることがある。ワイヤレスターミナル１１５がハンドオーバープロセス（例えば、新たな中心周波数への同調）を完了するのに、ある程度の時間が必要とされるので、ワイヤレスターミナル１１５は、チャンネルバースト２０９、２１１、２１３及び２１５がハンドオーバー中にワイヤレスターミナル１１５へ送信された場合に幾つかのデータパケットを欠落し、受信にギャップを生じさせることがある。データサービスの形式に基づいて、ワイヤレスターミナル１１５のユーザは、データパケットのロスを認知することができる。
【００１２】
この実施形態では、全データレート容量が所与の時間にチャンネルバーストに割り当てられる。図２に示すように、チャンネルバースト２０９、２１１、２１３及び２１５は、時間的にインターリーブされる。チャンネルバースト（例えば、チャンネルバースト２０９）の連続送信間に、あるアイドル時間巾が生じる（その間にはデータサービスのためのデータパケットが送信されない）。ワイヤレスブロードキャストシステムは、このアイドル時間巾を使用することができ、その間に、ワイヤレスターミナル１１５に、ハンドオーバーを完了するために別のベースステーションへの移行を命令することができる。他のベースステーション（例えば、ベースステーション１０５）は、異なる中心周波数及び異なる位相シフト量を使用してワイヤレスターミナル１１５に以前にサービスしたベースステーション（例えば、ベースステーション１０１）と同じデータを送信することができる。
【００１３】
チャンネルバーストは、通常、ベースステーションにより周期的に送信される。例えば、後続チャンネルバーストは、チャンネルバースト２０９のＴ秒後に生じてもよく、この場合、チャンネルバーストは、Ｔ秒ごとに送信される。ワイヤレスターミナル１１５は、グローバルポジショニングシステム（ＧＰＳ）のような正確なタイミングを維持して、各チャンネルバーストが発生する絶対的な時間を決定することができる。別の実施形態では、ワイヤレスターミナル１１５には、各チャンネルバーストの時間周期に関する情報が与えられ、これは、後続チャンネルバーストについてワイヤレスターミナル１１５に通知する。時間周期は、ＩＰパケット、マルチプロトコルカプセル化フレーム、他のパケットフレーム、及び第三世代（３Ｇ）或いは汎用パケット無線サービス（ＧＰＲＳ）チャンネル又は変調データ、例えば、送信器パラメータシグナリングに含まれてもよい。或いは又、ワイヤレスターミナル１１５は、ワイヤレスターミナル１１５より前に知られているデータシーケンスでよい信号プリアンブルを受信することにより、チャンネルバーストの発生を検出してもよい。別の実施形態では、ワイヤレスターミナル１１５は、ベースステーション１からのオーバーヘッドチャンネルを経てオーバーヘッドメッセージを受信してもよい。オーバーヘッドメッセージは、チャンネルバーストの発生に関するタイミング情報を含んでもよい。オーバーヘッドチャンネルは、チャンネルバーストの送信をサポートするダウンリンク無線チャンネルと論理的又は物理的に個別であってもよい。
【００１４】
チャンネルバースト２０９、２１１、２１３及び２１５は、ヨーロッパ規格ＥＮ３０１１９７「Digital Video Broadcasting (DVB), DVB specification for data broadcasting」のセクション７に基づきマルチプロトコルカプセル化を使用してフォーマットされてもよい。このカプセル化は、インターネットプロトコル（ＩＰ）規格に適合し得る。
【００１５】
図３は、本発明の一実施形態により２つの送信中心周波数指定をもつワイヤレスシステム３００を示す。セル（例えば、セル３０１、３０３、３０５及び３０７）に対応するベースステーションには、２つの異なる中心周波数値Ｆ１及びＦ２の一方が指定される。（中心周波数値は、ベースステーションにより使用される周波数スペクトルの中心周波数に対応する。）隣接セルに異なる中心周波数値を指定することで、非サービングセルからワイヤレスターミナル１１５への干渉が減少される。例えば、ワイヤレスターミナル１１５がセル３０１（ベースステーション１０３に対応する）からセル３０３（ベースステーション１０５に対応する）へ横断するときには、ワイヤレスターミナル１１５は、中心周波数値Ｆ１から中心周波数値Ｆ２へ再同調する。ワイヤレスターミナル１１５がセル３０１又はセル３０３内でサービスされている間には、ワイヤレスターミナル１１５は、ベースステーション１０３又はベースステーション１０５により各々送信されるチャンネルバーストに含まれたデータパケットを受信する。図３に示すように、中心周波数値が２つしかない構成では、ワイヤレスシステムのトポロジー構成が「行的」構成に制限される。
【００１６】
図４は、本発明の一実施形態により３つの送信中心周波数値をもつワイヤレスシステム４００を示す。セル（例えば、セル４０１、４０３、４０５、４０７、４０９又は４１１）に対応するベースステーションには、３つの異なる中心周波数値Ｆ１、Ｆ２及びＦ３の１つが指定される。ワイヤレスターミナル１１５は、ワイヤレスターミナル１１５が配置されたセルに対応するベースステーションにより送信されたチャンネルバーストを介してデータパケットを受信する。中心周波数値が３つの場合には、ワイヤレスシステムは、中心周波数値が２つしか指定されない場合より更に複雑なトポロジー構成をとることができる。しかしながら、ワイヤレスシステムに指定される中心周波数値の数が増加するにつれて、ワイヤレスシステムに必要とされる周波数スペクトルが増加する。
【００１７】
ワイヤレスシステム３００及び４００の送信構成は、通常、ワイヤレスシステム３００又は４００からワイヤレスターミナル１１５への（ダウンリンク即ち順方向無線チャンネルの）データレートが、通常、ワイヤレスターミナル１１５からワイヤレスシステム３００又は４００への（アップリンク即ち逆方向無線チャンネルの）データレートより大きいという点で、非対称的である。
【００１８】
図１５及び１６を参照して以下に述べるように、ワイヤレスシステム３００又は４００は、ワイヤレスターミナル１１５からアップリンク無線チャンネルを経て測定された信号特性（例えば、信号強度、パケットエラー率及びビットエラー率）を受信することができる。これらの信号特性を使用して、ワイヤレスシステム３００又は４００は、ワイヤレスターミナル１１５が対応セルを横断するときに、あるベースステーションから別のベースステーションへのハンドオーバーを実行するようにワイヤレスターミナル１１５に命令することができる。他の実施形態では、ワイヤレスターミナル１１５は、ワイヤレスシステム３００又は４００により命令されずに、測定された信号特性に基づいてハンドオーバーを実行することができる。ある実施形態では、ワイヤレスシステム３００又は４００がアップリンクチャンネルをサポートせず、ワイヤレスターミナル１１５は、ワイヤレスシステム３００又は４００にメッセージを送信することができない。
【００１９】
図３及び４に示す実施形態では、セル（例えば、３０１−３０７及び４０１−４１１）には、ワイヤレスシステム３００及び４００に関連した１組の中心周波数値から中心周波数値が指定される。隣接セルに異なる中心周波数値を指定することで、ワイヤレスターミナル１１５は、そのワイヤレスターミナル１１５が位置するセルに対応するベースステーション（例えば、１０３又は１０５）から送信された信号を、他のベースステーションから送信された信号から区別することができる。（このように指定する解決策は、周波数分割多重アクセス（ＦＤＭＡ）と称される。）しかしながら、他の実施形態では、拡散スペクトル技術（例えば、コード分割多重アクセス（ＣＤＭＡ））と共に使用されるチャンネル化コード（例えば、ウォルシュコード）のような別の解決策により直交分離を与えることができる。このような場合には、ワイドバンド信号が、ワイヤレスシステムの全セルに指定された単一周波数を中心とし、各対応ベースステーションは、同じ周波数スペクトルを使用する。隣接セルには、ワイヤレスターミナル１１５に対する非サービングベースステーションからの干渉を減少するために、異なるチャンネル化コードが指定される。ワイヤレスターミナル１１５は、サービングベースステーションに指定された適当なチャンネル化コードで受信信号を処理することができる。
【００２０】
図５は、本発明の一実施形態によりタイムスライス送信を理想的な筋書きで使用するワイヤレスシステムを示す。セル５０１からのチャンネルバーストは、セル５０３からのチャンネルバーストと同期される（例えば、チャンネルバースト５０７は、チャンネルバースト５１３と本質的に同時に発生し、そしてチャンネルバースト５０９は、チャンネルバースト５１５と本質的に同時に発生する。）セル５０１及び５０３にサービスする対応ベースステーションには、バックボーンネットワーク１０７を経てパケットストリーム５０５が与えられ、パケットの配送が同期的となる。（この実施形態では、全てのベースステーションからのチャンネルバーストが同時に発生するので、各ベースステーションからのチャンネルバーストの送信に関連した位相遅延の量がゼロとなる。）この筋書きでは、図５に示すように、ワイヤレスターミナル１１５は、これがセル５０１から５０３へハンドオーバーされる場合に全てのパケットを受信する。例えば、ワイヤレスターミナル１１５がチャンネルバースト５０７及びチャンネルバースト５１５を受信する場合には（セル５０１からセル５０３へのハンドオーバーの結果として）、ワイヤレスターミナル１１５は、パケット番号１、２、３、４、５及び６を受信する。
【００２１】
図６は、関連バックボーンネットワーク１０７が時間遅延（スキュー）により特徴付けられるタイムスライス送信を使用するワイヤレスシステムを示す。セル６０１からのチャンネルバーストは、セル６０３からのチャンネルバーストと同期される（例えば、チャンネルバースト６０７は、チャンネルバースト６１３と本質的に同時に発生し、そしてチャンネルバースト６０９は、チャンネルバースト６１５と本質的に同時に発生する）。この筋書きでは、セル６０１及び６０３に対応するベースステーションには、パケットストリーム６０５及び６０６が各々与えられ、ここで、対応するベースステーションへのパケット配送時間は、互いにスキューされる。この筋書きでは、図６に示すように、ワイヤレスターミナル１１５は、これがセル６０１から６０３へハンドオーバーされる場合に全てのデータパケットを受信しないことがある。例えば、ワイヤレスターミナル１１５は、これがチャンネルバースト６０７及びチャンネルバースト６１５を受信する場合に（セル６０１からセル６０３へのハンドオーバーの結果として）、パケット番号１、２、３、５、６、７を受信する。換言すれば、ワイヤレスターミナル１１５は、パケット番号４を失う。
【００２２】
図７は、バックボーンネットワーク１０７がデータパケット再順序付けにより特徴付けられるタイムスライス送信を使用するワイヤレスシステムを示す。セル７０１からのチャンネルバーストは、セル７０３からのチャンネルバーストと同期される（例えば、チャンネルバースト７０７は、チャンネルバースト７１３と本質的に同時に発生し、そしてチャンネルバースト７０９は、チャンネルバースト７１５と本質的に同時に発生する）。この筋書きでは、セル７０１及び７０３に対応するベースステーションには、パケットストリーム７０５及び７０６が各々与えられ、ここで、対応するベースステーションへのパケット配送時間は、互いにスキューされる。この筋書きでは、図７に示すように、ワイヤレスターミナル１１５は、これがセル７０１から７０３へハンドオーバーされる場合に全てのデータパケットを受信しないことがある。例えば、ワイヤレスターミナル１１５は、これがチャンネルバースト７０７及びチャンネルバースト７１５を受信する場合に（セル７０１からセル７０３へのハンドオーバーの結果として）、パケット番号１、２、３、３、５及び６を受信する。換言すれば、ワイヤレスターミナル１１５は、パケット番号４を失い、そしてパケット番号３を２回受信する。
【００２３】
図８は、本発明の一実施形態により図４に示すワイヤレスシステム４００（３つの中心周波数値に対応する）に対しベースステーション１０３及び１０５からのチャンネルバーストを示すタイミング図である。（本発明の他の実施形態では、中心周波数値Ｆ３は、図４に示すように、異なるセルにおいて相違するが、同じ位相ソフトに対応する。）各チャンネルバーストは、データサービスのグループをサポートすることができる。データサービスの各グループは、少なくとも１つのデータサービスを含む。事象８０１−８１３は、ベースステーション１０３（ワイヤレスターミナル１１５がセル４０１に位置するときにそれにサービスする）がチャンネルバースト（例えば、チャンネルバースト２０９）を開始する時間を指定する。ベースステーション１０３は、チャンネルバーストを周期的に、即ちＴ秒ごとに送信する。（Ｔ秒の時間インターバルは、３６０度に対応する。）事象８５３−８６３は、ベースステーション１０５（ワイヤレスターミナル１１５がセル４０３に位置するときにそれにサービスする）がチャンネルバーストを開始する時間を指定する。ベースステーション１０５は、チャンネルバーストを周期的に、即ちＴ秒ごとに送信する。しかしながら、事象８５３−８６３は、１／３Ｔ秒（１２０度に対応する）だけオフセットしている。セル４０５（図８には示さず）では、関連位相シフト量が２４０度である（セル４０１に対する２／３Ｔの時間オフセットに対応する）。一般に、セルに関連した位相シフト量（度）は、ワイヤレスシステムにおける中心周波数値の数をＮとしそして整数をｉとすれば、式（３６０／Ｎ）＊ｉで表わされる。又、チャンネルバーストの時間巾は、Ｔ／３秒を越えてはならない。さもなければ、隣接セル間のチャンネルバーストがオーバーラップし、おそらく、ワイヤレスターミナル１１５は、ハンドオーバーが生じるときにパケットを失うことになる。
【００２４】
図９は、本発明の一実施形態により図４に示すワイヤレスシステム４００に対し複数のデータサービスのためのベースステーション１０３からのチャンネルバーストを示すタイミング図である。各チャンネルバーストは、データサービスのグループをサポートすることができる。データサービスの各グループは、少なくとも１つのデータサービスを含む。この実施形態では、ベースステーション４０１は、第１グループのデータサービスをサポートするチャンネルバースト間にチャンネルバーストをインターレースすることにより第２グループのデータサービスをサポートする。図９において、ベースステーション４０１は、チャンネルバースト９０１−９１３を伴う第１グループのデータサービスと、チャンネルバースト９５１−９６３を伴う第２グループのデータサービスとをサポートする。しかしながら、チャンネルバースト９５１−９６３は、チャンネルバースト９０１−９１３に対して１／６Ｔ秒（６０度に対応する）だけオフセットしている。このような場合には、チャンネルバーストの時間巾がＴ／６秒を越えてはならず、さもなければ、チャンネルバーストがオーバーラップし、おそらくは、ワイヤレスターミナル１１５は、複数のデータサービスによりサービスされる場合、又はハンドオーバーが発生する場合に、データパケットを失うことになる。
【００２５】
テーブル１は、図４に示したワイヤレスシステムに対する位相シフト割当てを要約するものである。サービスグループＸ及びサービスグループＹは、各々、少なくとも１つのデータサービスに関連付けられる。この実施形態は、図８及び９に示すように、位相シフト量をチャンネルバーストに関連付けるための均一な分布を使用するが、チャンネルバーストの時間巾が関連データサービスに依存する場合には、位相シフト量を調整することができる。あるデータサービスは、関連データをブロードキャストするために他のデータサービスより多くのデータ帯域巾を必要とし、ひいては、大きな時間巾を必要とすることがある。
【００２６】
テーブル１：タイムスライス送信の時間オフセット
2005538594.tif 000003
【００２７】
サービングベースステーション（例えば、ベースステーション１０３又は１０５）は、それ自身に関する位相シフト情報、及び隣接セルにサービスするベースステーションに関する位相シフト情報を、その情報をチャンネルバーストに挿入することにより送信することができる。更に、後続チャンネルバーストに関するタイミング情報が含まれてもよい。別の実施形態では、サービングベースステーションは、チャンネルバーストを含むダウンリンクチャンネルとは論理的又は物理的に別個のものでよい個別オーバーヘッドチャンネルに関する位相シフト情報を送信することができる。別の実施形態では、ワイヤレスターミナル１１５は、位相シフトの量を異なるベースステーションにマップするルックアップテーブルを維持することができる。このような場合、ワイヤレスターミナル１１５は、それがベースステーションからの信号を受信したいときに、そのテーブルにアクセスし、関連する位相シフト量を決定する。
【００２８】
図１０は、本発明の一実施形態により関連バックボーンネットワーク１０７が時間遅延（スキュー）もデータパケットの再順序付けも伴わずに特徴付けられる位相シフト型タイムスライス送信を使用するワイヤレスシステムを示す。この筋書きでは、ワイヤレスシステムは、図４に示すような３つの中心周波数値を有する。セル１００３からのチャンネルバーストは、セル１００１からのチャンネルバーストに対して１２０度の位相シフトを有する（例えば、チャンネルバースト１０１５は、チャンネルバースト１０２１の約Ｔ／３秒後に発生する）。セル１００１及び１００３にサービスする対応ベースステーションには、パケットの配送が本質的に同期されるようにバックボーンネットワーク１０７を経てパケットストリーム１００７が与えられる。この筋書きでは、図１０に示すように、ワイヤレスターミナル１１５は、それがセル１００１から１００３へハンドオーバーされる場合に全てのデータパケットを受信する。例えば、ワイヤレスターミナル１１５は、これがチャンネルバースト１０２１及びチャンネルバースト１０１５を受信した場合に（セル１００１からセル１００３へのハンドオーバーの結果として）、パケット番号１、２、３、２、３及び４を受信する。換言すれば、パケット番号２及び３が２回受信される。このような場合に、ワイヤレスターミナル１１５は、二重パケットを破棄するが、全てのデータパケットが受信される。
【００２９】
図１１は、関連バックボーンネットワーク１０７が時間遅により特徴付けられる位相シフト型タイムスライス送信を使用するワイヤレスシステムを示す。この筋書きでは、図１０の場合と同様に、ワイヤレスシステムは、図４に示すような３つの中心周波数値を有する。セル１１０３からのチャンネルバーストは、セル１１０１からのチャンネルバーストに対して１２０度の位相シフトを有する（例えば、チャンネルバースト１１１５は、チャンネルバースト１０２１の約Ｔ／３秒後に発生する）。セル１１０１及び１１０３にサービスする対応ベースステーションには、パケットストリーム１１０７及び１１０６が各々与えられる。ワイヤレスターミナル１１５は、それがセル１１０１から１１０３へハンドオーバーされる場合に全てのデータパケットを受信する。例えば、ワイヤレスターミナル１１５は、これがチャンネルバースト１１２１及びチャンネルバースト１１１５を受信した場合に（セル１１０１からセル１１０３へのハンドオーバーの結果として）、パケット番号１、２、３、１、２、３を受信する。換言すれば、パケット番号１、２及び３が２回受信される。このような場合に、ワイヤレスターミナル１１５は、二重パケットを破棄するが、全てのデータパケットが受信される。
【００３０】
図１２は、本発明の一実施形態により関連バックボーンネットワーク１０７がデータパケット再順序付けにより特徴付けられる位相シフト型タイムスライス送信を使用するワイヤレスシステムを示す。この筋書きでは、図１０の場合と同様に、ワイヤレスシステムは、図４に示すような３つの中心周波数値を有する。セル１２０３からのチャンネルバーストは、セル１２０１からのチャンネルバーストに対して１２０度の位相シフトを有する（例えば、チャンネルバースト１２１５は、チャンネルバースト１２２１の約Ｔ／３秒後に発生する）。セル１２０１及び１２０３にサービスする対応ベースステーションには、パケットストリーム１２０７及び１２０６が各々与えられる。この筋書きでは、パケット番号６及び７がパケットストリーム１２０７において逆転される。ワイヤレスターミナル１１５は、それがセル１２０１から１２０３へハンドオーバーされる場合に全てのデータパケットを受信する。例えば、ワイヤレスターミナル１１５は、これがチャンネルバースト１２２１及びチャンネルバースト１２１５を受信した場合に（セル１２０１からセル１２０３へのハンドオーバーの結果として）、パケット番号１、２、３、４、５、７、３、４、５、６、７及び８を受信する。換言すれば、パケット番号３、４、５及び７が２回受信される。このような場合に、ワイヤレスターミナル１１５は、二重パケットを破棄するが、全てのデータパケットが受信される。
【００３１】
図１３は、本発明の一実施形態により位相シフト型タイムスライス送信をサポートするベースステーション（例えば、ベースステーション１０３）用の装置１３００を示す。この装置１３００は、プロセッサ１３０１と、ネットワークインターフェイスモジュール１３０３と、無線モジュール１３０５と、メモリ１３０７と、タイミングモジュール１３０９とを備えている。ベースステーション１３００は、バックボーンネットワーク１０７からネットワークインターフェイスモジュール１３０３を経てデータパケットを得る。データパケットは、プロセッサ１３０１により処理され、そしてメモリ（データバッファ）１３０７にバッファされ、従って、チャンネルバーストにおいてワイヤレスターミナル１１５へ送信するためのデータパケットのグループ（１つ以上のデータサービスに関連付けられてもよい）を形成することができる。装置１３００は、無線チャンネル１１１を経、無線モジュール１３０５を経てワイヤレスターミナル１１５と通信する。タイミングモジュール１３０９は、無線チャンネル１１１を経てチャンネルバーストを送信するための適当な時間を決定する。この実施形態では、タイミングモジュール１３０９は、無線モジュール１３０５によりサポートされる第２無線チャンネルを経てグローバルポジショニングシステム（ＧＰＳ）により同期された結晶発振子を有する。或いは又、タイミングモジュール１３０９は、集中型の高精度タイミングソースによりネットワークインターフェイスモジュール１３０３及びバックボーンネットワーク１０７を経て同期されてもよい。タイミングモジュール１３０９は、チャンネルバーストを送信すべきであることを決定すると、プロセッサ１３０１にそれを通知する。これにより、プロセッサ１３０１は、メモリ１３０７にバッファされたデータパケットのグループを得て、そのデータパケットのグループをチャンネルバーストにおいて送信する。
【００３２】
図１４は、本発明の一実施形態により位相シフト型タイムスライス送信をサポートするワイヤレスターミナル１１５用の装置１４００を示す。この装置１４００は、プロセッサ１４０１と、無線モジュール１４０５と、メモリ１４０７と、タイミングモジュール１４０９とを備えている。タイミングモジュール１４０９は、チャンネルバーストを受信するための適当な時間を決定する。この実施形態では、タイミングモジュール１４０９は、結晶発振子を備え、増分的タイミング情報が与えられる先行チャンネルバーストの情報を受信する。タイミングモジュール１４０９は、その増分的タイミング情報を使用して、次のチャンネルバーストに対する時間を決定し、そしてプロセッサ１４０１に通知する。（この実施形態の変形において、無線モジュール１４０５は、タイミングモジュール１４０９に対する時間同期を与えるＧＰＳ受信器を備えてもよい。）装置１４００は、図１３に関連して説明したように、無線モジュール１４０５を経、無線チャンネル１１１を経てデータパケットのグループを受信する。プロセッサ１４０１は、データパケットを処理し、そしてそれらを、データパケットのグループが受信されるまでメモリ（バッファ記憶装置）１４０７にバッファする。プロセッサ１４０１は、データパケットのグループを、関連データサービスに基づいて処理する。
【００３３】
図１５は、本発明の一実施形態によりハンドオーバーが要求されるかどうか決定するためのワイヤレスターミナル１１５のフローチャートである。ステップ１５６１において、ワイヤレスターミナル１１５が初期化された後に、ワイヤレスターミナル１１５は、ステップ１５６３において、希望のデータサービスを提供するセル（例えば、図４のセル４０１）に隣接する１つ以上のセル（例えば、図４に示すセル４０３及び４０５）に対する「Ｌ」個の別々の中心周波数値のリストをコンパイルする。ここに示す例では、このリストは、セル４０３及び４０５に対するブロードキャスト周波数を含むことになる。これら別々の中心周波数値は、セル４０１にサービスするベースステーション（例えば、ベースステーション１０３）によりブロードキャストされるチャンネルバーストにおいて与えることができる。例えば、チャンネルバースト２０９は、同じデータサービスを提供する隣接セルの中心周波数値のリストを含むことができる。更に、上述したように、位相シフト情報が含まれてもよい。（隣接セルにおいてデータサービスが提供されない場合には、ワイヤレスターミナル１１５は、そのデータサービスを提供するセルによりサービスを受け続けるように命令されてもよい。）
【００３４】
ステップ１５６５では、ワイヤレスターミナル１１５において信号データが導出される。これらのデータは、ワイヤレスセル４０１におけるベースステーション１０３により使用されるオリジナル中心周波数とここで称される信号周波数に対して、受信信号強度指示子（ＲＳＳＩ）値、パケットエラー率（ＰＥＲ）、及びビットエラー率（ＢＥＲ）値を含む。所定のハンドオーバー基準を満足した場合に、ハンドオーバーが考えられ又は開始される。一実施形態では、オリジナル周波数のＢＥＲが所定の準エラーなし（ＱＥＦ）限界を越えるか、或いはオリジナル周波数のＲＳＳＩが規定値より下がった場合に、ハンドオーバー基準が満足される。判断ブロック１５６７において、ハンドオーバー基準を満足しない場合には、ワイヤレスターミナル１１５は、オリジナル周波数のＲＳＳＩ及びＢＥＲ値を不利な変更に対して監視し続ける。
【００３５】
図１６は、図１５のフローチャートの続きである。一方、ハンドオーバー基準が満足された場合には、ワイヤレスターミナル１１５は、ステップ１６６９において、同じサービスを提供する「Ｌ」個の隣接セル送信信号に対するＲＳＳＩ値を測定又は決定する。隣接セル送信信号に対する「Ｌ」個のＲＳＳＩ値は、ハンドオーバー基準が満足された後に得られる読みでもよいし、又はＲＳＳＩ値は、選択された時間周期にわたって得られて平均化されそしてワイヤレスターミナル１１５に保持される値でもよい。ハンドオーバーに対する候補信号周波数の選択は、「Ｌ」個の隣接セル送信信号周波数に対して得られるＲＳＳＩ値に基づくものである。
【００３６】
最も強いＲＳＳＩ値を有する「Ｎ」個の隣接セル周波数は、「Ｎ」個の候補周波数と呼称される。但し、Ｎ≦Ｌである。好ましい実施形態では、３≦Ｎ≦５である。ステップ１６７１において、「Ｎ」個の候補周波数及びオリジナル周波数を含む（Ｎ＋１）個のＲＳＳＩ周波数値のリストが形成される。別の実施形態では、オリジナル周波数に対するＲＳＳＩ値は、任意のステップ１６７３において、オリジナル周波数から候補周波数への頻繁な又は不必要なハンドオーバーのおそれを減少するために、所定のヒステリシス値、例えば、５ｄＢだけ増加される。ステップ１６７５において、最大のＲＳＳＩ値をもつ候補周波数がリストから選択され、そしてステップ１６７７において、この現在候補周波数に対してＢＥＲ値が測定される。
【００３７】
判断ブロック１６７９において、現在候補周波数ＢＥＲ値が所定のＱＥＦ限界を越えた場合には、ステップ１６８１において、現在候補周波数がリストから除去され、そして判断ブロック１６８３において、付加的な候補周波数がリストに残っている場合には、ステップ１６７５において、最大ＲＳＳＩ値を有する次の候補周波数値が現在候補周波数と呼称され、プロセスは、上述したように、ステップ１６７７へ進む。判断ブロック１６８３において、候補周波数値がリストに残っていない場合には、ワイヤレスターミナル１１５は、ステップ１６８５において、オリジナル周波数を使用して情報を受信し続け、そして動作は、ステップ１５６３へと続く。
【００３８】
判断ブロック１６７９において、現在候補周波数ＢＥＲ値が所定のＱＥＦ限界を越えない場合には、ワイヤレスターミナル１１５は、ステップ１６８７において、次の送信バーストを送信するために現在候補周波数へスイッチすることによりハンドオーバーを実行し、そして動作は、上述したように、ステップ１５６３へ復帰する。ある実施形態では、ＱＥＦ限界は、デジタルビデオブロードキャスト受信器におけるビタビ（Viterbi）デコーディングの後に約２ｘ１０-4のＢＥＲ値に対応する。当業者に明らかなように、デジタルビデオブロードキャスト受信器に使用されるエラー修正チェーンは、ビタビデコーダ段及びリード・ソロモン（Reed Solomon）デコーダ段を含んでもよい。従って、ビタビデコーディングの後の約２ｘ１０-4のＢＥＲ値は、リード・ソロモンデコーディングの後の約１０-12のＢＥＲ値に対応する。
【００３９】
当業者に明らかなように、コンピュータシステムを制御するための命令を含む関連するコンピュータ読み取り可能な媒体をもつコンピュータシステムを使用して、ここに開示した実施形態を具現化することができる。コンピュータシステムは、マイクロプロセッサ、デジタル信号プロセッサ、及びそれに関連する周辺電子回路のような少なくとも１つのコンピュータを含むことができる。
【００４０】
以上、本発明を実施するための現在の好ましい態様を含む特定例について説明したが、特許請求の範囲に規定された本発明の精神及び範囲内で前記システム及び技術の多数の変更や修正が当業者に明らかとなろう。
【図面の簡単な説明】
【００４１】
【図１】本発明の一実施形態によりデータサービスを提供するためにサービスソースをベースステーションに相互接続するマルチキャストバックボーン型ブロードキャストネットワークを示す図である。
【図２】本発明の一実施形態によりタイムスライス送信を使用するインターネットプロトコル（ＩＰ）サービスの送信を示す図である。
【図３】本発明の一実施形態により２つの送信中心周波数値をもつワイヤレスシステムを示す図である。
【図４】本発明の一実施形態により３つの送信中心周波数値をもつワイヤレスシステムを示す図である。
【図５】本発明の一実施形態によりタイムスライス送信を理想的な筋書きで使用するワイヤレスシステムを示す図である。
【図６】本発明の一実施形態により関連バックボーンネットワークが時間遅延により特徴付けられるタイムスライス送信を使用するワイヤレスシステムを示す図である。
【図７】関連バックボーンネットワークがデータパケット再順序付けにより特徴付けられるタイムスライス送信を使用するワイヤレスシステムを示す図である。
【図８】本発明の一実施形態により複数のベースステーションからのチャンネルバーストを示すタイミング図である。
【図９】本発明の一実施形態により複数のデータサービスに対してベースステーションからのチャンネルバーストを示すタイミング図である。
【図１０】本発明の一実施形態により関連バックボーンネットワークが時間遅延もデータパケット再順序付けも伴わずに特徴付けられる位相シフト型タイムスライス送信を使用するワイヤレスシステムを示す図である。
【図１１】本発明の一実施形態により関連バックボーンネットワークが時間遅により特徴付けられる位相シフト型タイムスライス送信を使用するワイヤレスシステムを示す図である。
【図１２】本発明の一実施形態により関連バックボーンネットワークがデータパケット再順序付けにより特徴付けられる位相シフト型タイムスライス送信を使用するワイヤレスシステムを示す図である。
【図１３】本発明の一実施形態により位相シフト型タイムスライス送信をサポートするベースステーション用装置を示す図である。
【図１４】本発明の一実施形態により位相シフト型タイムスライス送信をサポートするワイヤレスターミナル用装置を示す図である。
【図１５】本発明の一実施形態によりハンドオーバーが要求されるかどうか決定するためのワイヤレスターミナルのフローチャートである。
【図１６】図１５のフローチャートの続きである。
【図１】
2005538594.tif 000004
【図２】
2005538594.tif 000005
【図３】
2005538594.tif 000006
【図４】
2005538594.tif 000007
【図５】
2005538594.tif 000008
【図６】
2005538594.tif 000009
【図７】
2005538594.tif 000010
【図８】
2005538594.tif 000011
【図９】
2005538594.tif 000012
【図１０】
2005538594.tif 000013
【図１１】
2005538594.tif 000014
【図１２】
2005538594.tif 000015
【図１３】
2005538594.tif 000016
【図１４】
2005538594.tif 000017
【図１５】
2005538594.tif 000018
【図１６】
2005538594.tif 000019
【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
第１ベースステーション及び第２ベースステーションを備えたワイヤレスシステムからワイヤレスターミナルにより複数のデータパケットを受信する方法において、
（ａ）第１グループのデータパケットを含む現在第１チャンネルバーストに関連付けられた第１の位相シフト量を決定するステップであって、前記第１の位相シフト量は、前記第１ベースステーションに関連付けられ、且つ前記第１の位相シフト量は、前記第２ベースステーションに関連付けられた第２の位相シフトとは異なるようにされるステップと、
（ｂ）前記第１の位相シフト量に基づいて前記現在第１チャンネルバーストを受信するステップと、
を備えた方法。
【請求項２】
前記第１グループのパケットは、第１データサービスに関連付けられる請求項１に記載の方法。
【請求項３】
前記ワイヤレスシステムは、デジタルブロードバンドブロードキャストエリアにサービスし、そして前記第１データサービスは、デジタルブロードバンドブロードキャストサービスに関連付けられる請求項２に記載の方法。
【請求項４】
前記第１グループのパケットは、第２データサービスに関連付けられる請求項２に記載の方法。
【請求項５】
（ｃ）前記現在第１チャンネルバーストと、その後続第１チャンネルバーストとの間の時間差である時間周期を決定するステップと、
（ｄ）前記現在第１チャンネルバーストに対する時間周期だけオフセットした時間に前記後続第１チャンネルバーストを受信するステップと、
を更に備えた請求項１に記載の方法。
【請求項６】
前記ステップ（ｃ）は、前記現在第１チャンネルバーストにおける時間周期に関する情報を受信する段階を備えた請求項５に記載の方法。
【請求項７】
（ｃ）前記第２ベースステーションに関連した第２の位相シフト量を決定するステップと、
（ｄ）前記第１ベースステーションにより送信された第１信号の第１信号特性を測定するステップと、
（ｅ）前記第２ベースステーションにより送信された第２信号の第２信号特性を測定するステップと、
（ｆ）前記第１信号特性が第１の予め定められた基準を満足し且つ前記第２信号特性が第２の予め定められた基準を満足する場合には、前記第１ベースステーションから前記第２ベースステーションへ受信を切り換えるステップと、
（ｇ）前記ステップ（ｆ）に応答して、前記第２の位相シフト量に基づいて前記第２ベースステーションから第２チャンネルバーストを受信するステップであって、前記第２チャンネルバーストが第２グループのデータパケットを含むようなステップと、
を更に備えた請求項１に記載の方法。
【請求項８】
前記第１信号特性及び第２信号特性は、受信信号強度指示子（ＲＳＳＩ）値、ビットエラー率（ＢＥＲ）及びパケットエラー率（ＰＥＲ）より成るグループから選択された信号属性に対応する請求項７に記載の方法。
【請求項９】
前記ステップ（ｃ）は、初期セルにおける第２の位相ソフト量に関する情報を受信する段階を含む請求項７に記載の方法。
【請求項１０】
（ｃ）前記第２ベースステーションに関連した第２の位相シフト量を決定するステップと、
（ｄ）前記第１ベースステーションにより送信された第１信号の第１信号特性を測定するステップと、
（ｅ）前記第２ベースステーションにより送信された第２信号の第２信号特性を測定するステップと、
（ｆ）前記第１信号特性及び第２信号特性を前記第１ベースステーションへ送信するステップと、
（ｇ）前記第１ベースステーションにより命令された場合に、前記第１ベースステーションから前記第２ベースステーションへ受信を切り換えるステップと、
（ｈ）前記ステップ（ｇ）に応答して、前記第２の位相シフト量に基づいて前記第２ベースステーションから第２チャンネルバーストを受信するステップであって、前記第２チャンネルバーストが第２グループのデータパケットを含むようなステップと、
を更に備えた請求項１に記載の方法。
【請求項１１】
前記第２グループのデータパケットのナンバリングが連続的でない場合には、ナンバリングが連続的となるように前記第２データパケットグループのデータパケットを再配置するステップと、
前記第２グループのデータパケット内に二重のデータパケットが受信された場合には、その二重のデータパケットの一方を破棄するステップと、
を更に備えた請求項７又は１０に記載の方法。
【請求項１２】
（ｃ）第３グループのデータパケットを含む第３チャンネルバーストに関連した第３の位相シフト量を決定するステップであって、前記第３の位相シフト量が前記第１ベースステーションに関連付けられるようなステップと、
（ｄ）前記第３の位相シフト量に基づいて前記第３チャンネルバーストを受信するステップと、
を更に備えた請求項１に記載の方法。
【請求項１３】
前記第１データサービスは、インターネットプロトコル（ＩＰ）サービスである請求項２に記載の方法。
【請求項１４】
第１ベースステーション及び第２ベースステーションを備えたワイヤレスシステムから複数のデータパケットを受信するワイヤレスターミナルにおいて、
記憶バッファと、
タイミングモジュールと、
無線チャンネルを経て前記ワイやレスシステムと通信する無線モジュールと、
現在第１チャンネルバーストが送信されているという前記タイミングモジュールからの指示を受信するプロセッサであって、前記現在第１チャンネルバーストは第１グループのデータパケットを含むものであり、更に、前記第１グループのデータパケットを前記記憶バッファに記憶するプロセッサと、
を備え、前記プロセッサは、
（ａ）前記第１グループのデータパケットを含む前記現在第１チャンネルバーストに関連付けられた第１の位相シフト量を決定するステップであって、前記第１の位相シフト量は、前記第１ベースステーションに関連付けられ、且つ前記第１の位相シフト量は、前記第２ベースステーションに関連付けられた第２の位相シフトとは異なるようにされ、
（ｂ）前記第１の位相シフト量に基づいて前記現在第１チャンネルバーストを受信する、
というステップを実行するように構成されたワイヤレスターミナル。
【請求項１５】
前記ワイヤレスシステムは、デジタルブロードバンドブロードキャストエリアにサービスし、そして前記第１グループのデータパケットは、デジタルブロードバンドブロードキャストサービスに関連付けられる請求項１４に記載のワイヤレスターミナル。
【請求項１６】
前記プロセッサは、更に、
（ｃ）前記現在第１チャンネルバーストと、その後続第１チャンネルバーストとの間の時間差である時間周期を決定し、そして
（ｄ）前記現在第１チャンネルバーストに対する時間周期だけオフセットした時間に前記後続第１チャンネルバーストを受信する、
という更に別のステップを実行するように構成される請求項１４に記載のワイヤレスターミナル。
【請求項１７】
前記プロセッサは、更に、
（ｃ）前記第２ベースステーションに関連した第２の位相シフト量を決定し、
（ｄ）前記第１ベースステーションにより送信された第１信号の第１信号特性を測定し、
（ｅ）前記第２ベースステーションにより送信された第２信号の第２信号特性を測定し、
（ｆ）前記第１信号特性が第１の予め定められた基準を満足し且つ前記第２信号特性が第２の予め定められた基準を満足する場合には、前記第１ベースステーションから前記第２ベースステーションへ受信を切り換え、そして
（ｇ）前記ステップ（ｆ）に応答して、前記第２の位相シフト量に基づいて前記第２ベースステーションから第２チャンネルバーストを受信し、前記第２チャンネルバーストが第２グループのデータパケットを含むようにする、
というステップを実行するように構成された請求項１４に記載のワイヤレスターミナル。
【請求項１８】
前記プロセッサは、更に、
（ｈ）前記第２グループのデータパケットのナンバリングが連続的でない場合には、ナンバリングが連続的となるように前記第２データパケットグループのデータパケットを再配置し、そして
（ｉ）前記第２グループのデータパケット内に二重のデータパケットが受信された場合には、その二重のデータパケットの一方を破棄する、
という更に別のステップを実行するように構成された請求項１７に記載のワイヤレスターミナル。
【請求項１９】
前記プロセッサは、更に、
（ｃ）前記第２ベースステーションに関連した第２の位相シフト量を決定し、
（ｄ）前記第１ベースステーションにより送信された第１信号の第１信号特性を測定し、
（ｅ）前記第２ベースステーションにより送信された第２信号の第２信号特性を測定し、
（ｆ）前記第１信号特性及び第２信号特性を前記第１ベースステーションへ送信し、
（ｇ）前記第１ベースステーションにより命令された場合に、前記第１ベースステーションから前記第２ベースステーションへ受信を切り換え、そして
（ｈ）前記ステップ（ｇ）に応答して、前記第２の位相シフト量に基づいて前記第２ベースステーションから第２チャンネルバーストを受信し、前記第２チャンネルバーストが第２グループのデータパケットを含むようにする、
という更に別のステップを実行するように構成された請求項１４に記載のワイヤレスターミナル。
【請求項２０】
前記プロセッサは、更に、
（ｃ）第３グループのデータパケットを含む第３チャンネルバーストに関連した第３の位相シフト量を決定し、前記第３の位相シフト量が前記第１ベースステーションに関連付けられるようにし、そして
（ｄ）前記第３の位相シフト量に基づいて前記第３チャンネルバーストを受信する、
という更に別のステップを実行するように構成された請求項１４に記載のワイヤレスターミナル。
【請求項２１】
第１ベースステーション及び第２ベースステーションを備えたワイヤレスシステムによりワイヤレスターミナルへ複数のデータパケットをブロードキャストするための方法において、
（ａ）第１グループのデータパケットを現在第１チャンネルバーストへマップするステップと、
（ｂ）前記現在第１チャンネルバーストに対応する第１の位相シフト量を決定するステップであって、前記第１の位相シフト量が、前記第２ベースステーションに関連した第２の位相シフトとは異なるようにするステップと、
（ｃ）前記第１の位相シフト量に対応する前記現在第１チャンネルバーストを送信するステップと、
を備えた方法。
【請求項２２】
前記ワイヤレスシステムは、デジタルブロードバンドブロードキャストエリアにサービスし、そして前記第１グループのデータパケットは、デジタルブロードバンドブロードキャストサービスに関連付けられる請求項２１に記載の方法。
【請求項２３】
前記第１グループのデータパケットは、第１データサービスに関連付けられる請求項２１に記載の方法。
【請求項２４】
前記第１グループのデータパケットは、第２データサービスに関連付けられる請求項２３載の方法。
【請求項２５】
（ｄ）前記現在第１チャンネルバーストと、その後続第１チャンネルバーストとの間の時間差である時間周期を決定するステップと、
（ｅ）前記現在第１チャンネルバーストに対する時間周期において前記後続第１チャンネルバーストを送信するステップと、
を更に備えた請求項２１に記載の方法。
【請求項２６】
（ｆ）前記現在第１チャンネルバーストに前記時間周期に関する情報を含ませるステップを更に備えた請求項２５に記載の方法。
【請求項２７】
（ｄ）前記現在第１チャンネルバーストに前記第２の位相シフト量に関する情報を含ませるステップであって、前記第２の位相シフト量を、前記第２ベースステーションにより送信される第２グループのデータパケットに対応させるステップを更に備えた請求項２１に記載の方法。
【請求項２８】
（ｄ）前記第１ベースステーションにより送信される第１信号を表わす第１信号特性であって、前記ワイヤレスターミナルにより測定される第１信号特性と、前記第２ベースステーションにより送信される第２信号を表わす第２信号特性であって、前記ワイヤレスターミナルにより測定される第２信号特性とを前記第１ベースステーションにより受信するステップと、
（ｅ）前記第１及び第２の信号特性に基づいて前記第２ベースステーションにより前記ワイヤレスターミナルにサービスすべきかどうか決定するステップと、
（ｆ）前記ステップ（ｅ）に応答してベースステーションを切り換えるべき命令を前記ワイヤレスターミナルに送信するステップと、
を更に備えた請求項２１に記載の方法。
【請求項２９】
前記第１ベースステーションは、第１中心周波数値に関連付けられ、そして前記第２ベースステーションは、第２中心周波数値に関連付けられる請求項１又は２１に記載の方法。
【請求項３０】
前記ワイヤレスシステムにおける中心周波数値の数はＮに等しく、そして位相シフトの量は、３６０度をＮで除算し整数を乗算したものに等しい請求項２９に記載の方法。
【請求項３１】
前記第１ベースステーションは、第１チャンネル化コードに関連付けられ、そして前記第２ベースステーションは、第２チャンネル化コードに関連付けられる請求項１又は２１に記載の方法。
【請求項３２】
（ｄ）第３グループのデータパケットを、前記第１ベースステーションに関連付けられた第３チャンネルバーストへマップするステップと、
（ｅ）前記第３チャンネルバーストに対応する第３の位相シフト量を決定するステップと、
（ｆ）前記第３の位相シフト量に対応する第３チャンネルバーストを送信するステップと、
を更に備えた請求項２１に記載の方法。
【請求項３３】
前記第１グループのデータパケットは、第１データサービスに関連付けられ、そして前記第１データサービスは、インターネットプロトコル（ＩＰ）サービスである請求項２１に記載の方法。
【請求項３４】
請求項１乃至１３、及び、２１乃至３３のいずれかに記載のステップを実行するためのコンピュータ実行可能な命令を有するコンピュータ読み取り可能な媒体。
【請求項３５】
第１グループのデータパケットをワイヤレスターミナルへブロードキャストするベースステーションにおいて、
タイミングモジュールと、
記憶バッファと、
バックボーンネットワークから第１グループのデータパケットを受信するネットワークインターフェイスモジュールであって、前記第１グループのデータパケットがデジタルブロードバンドブロードキャストサービスに関連付けられるネットワークインターフェイスモジュールと、
無線チャンネルを経て前記ワイヤレスターミナルと通信する無線モジュールと、
前記第１グループのパケットを前記記憶バッファに記憶し、現在第１チャンネルバーストを送信すべきであるという前記タイミングモジュールからの指示を受信し、そして前記記憶バッファから前記第１グループのデータパケットを検索するプロセッサと、
を備え、前記プロセッサは、
（ａ）前記第１グループのデータパケットを前記現在第１チャンネルバーストへマップし、前記第１グループのデータパケットは、第１データサービスに関連付けられ、
（ｂ）前記現在第１チャンネルバーストに対応する第１の位相シフト量を決定し、そして
（ｃ）前記第１の位相シフト量に対応する前記現在第１チャンネルバーストを、前記無線モジュールを経て送信する、
というステップを実行するように構成されたベースステーション。
【請求項３６】
前記プロセッサは、（ｄ）第２の位相シフト量に関する情報を前記現在第１チャンネルバーストに含ませ、前記第２の位相シフト量を第２のベースステーション及び第１データサービスに関連付ける更に別のステップを実行するように構成される請求項３５に記載のベースステーション。
【請求項３７】
第１ベースステーション及び第２ベースステーションを備えたワイヤレスシステムからワイヤレスターミナルにより複数のデータパケットを受信する方法において、
（ａ）第１グループのデータパケットを含む第１チャンネルバーストに関連付けられた第１の位相シフト量を決定するステップであって、前記第１グループのデータパケットは、デジタルブロードバンドブロードキャストサービスに関連付けられ、且つ前記第１の位相シフト量は、前記第１ベースステーション及び第１データサービスに関連付けられるステップと、
（ｂ）前記第１の位相シフト量に基づいて前記現在第１チャンネルバーストを受信するステップと、
（ｃ）前記第２ベースステーション及び前記デジタルブロードバンドブロードキャストサービスに関連した第２の位相シフト量を決定するステップと、
（ｄ）前記第１ベースステーションにより送信された第１信号の第１信号特性を測定するステップと、
（ｅ）前記第２ベースステーションにより送信された第２信号の第２信号特性を測定するステップと、
（ｆ）前記第１信号特性が第１の予め定められた基準を満足し且つ前記第２信号特性が第２の予め定められた基準を満足する場合には、前記第１ベースステーションから前記第２ベースステーションへ受信を切り換えるステップと、
（ｇ）前記ステップ（ｆ）に応答して、前記第２の位相シフト量に基づいて前記第２ベースステーションから第２チャンネルバーストを受信するステップであって、前記第２チャンネルバーストが、前記デジタルブロードバンドブロードキャストサービスに関連付けられた第２グループのデータパケットを含むようなステップと、
（ｈ）前記データパケットのナンバリングが連続的でない場合には、ナンバリングが連続的となるように前記第２データパケットグループのデータパケットを再配置するステップと、
（ｉ）前記第２グループのデータパケット内に二重のデータパケットが受信された場合には、その二重のデータパケットの一方を破棄するステップと、
を備えた方法。
【国際調査報告】
2005538594.tif 000020